(57)【要約】【課題】便器全体の外観をすっきりとしてコンパクトにできる。後パーツ側に設けた流体吐出部を前パーツ側に設けた吐出部嵌め込み用開口部に嵌め込むに当って、簡単且つ正確に嵌め込んで組み立てが容易になる。【解決手段】便器本体部２０をボウル部１を備えた前パーツ１５と後パーツ１６とで構成する。後パーツ１６にボウル部１側に向けて流体を吐出する流体吐出部３と、位置決め用突部２とを前方に向けて突出して設け、前パーツ１５の後部に上記位置決め用突部２が嵌め込まれる後方に開口する位置決め用凹部１２を設ける。位置決め用突部２が位置決め用凹部１２に嵌めこまれた状態で上記流体吐出部３が嵌め込まれる一端が後方に開口し且つ他端がボウル部１側に向けて開口する吐出部嵌め込み用開口部４を設ける。【選択図】図１
2008095455.tif 000002
【特許請求の範囲】
【請求項１】
便器本体部をボウル部を備えた前パーツと後パーツとで構成し、後パーツにボウル部側に向けて流体を吐出する流体吐出部と、位置決め用突部とを前方に向けて突出して設け、前パーツの後部に上記位置決め用突部が嵌め込まれる後方に開口する位置決め用凹部を設けると共に、位置決め用突部が位置決め用凹部に嵌めこまれた状態で上記流体吐出部が嵌め込まれる一端が後方に開口し且つ他端がボウル部側に向けて開口する吐出部嵌め込み用開口部を設けて成ることを特徴とする便器。
【請求項２】
流体吐出部がボウル部内を洗浄するボウル洗浄ノズルであることを特徴とする請求項１記載の便器。
【請求項３】
流体吐出部が人体の局部を洗浄する局部洗浄ノズルであることを特徴とする請求項１又は請求項２記載の便器。
【請求項４】
流体吐出部が人体の局部を乾燥するために温風又は冷風を送風する送風ダクトの先端部であることを特徴とする請求項１乃至請求項３のいずれか一項に記載の便器。
【請求項５】
便器が、前パーツと、後パーツとで構成される便器本体部と、前パーツ、後パーツが固定される金属製の支持フレームとで構成され、後パーツの一部を構成する装置支持ケースに位置決め用突部を一体に形成し、該装置支持ケースに流体吐出部を取付け、前パーツを支持フレームの前部に取付け、装置支持ケースを支持フレームの後部に取付けて成ることを特徴とする請求項１乃至請求項４のいずれかに記載の便器。
【発明の詳細な説明】
【技術分野】
【０００１】
本発明は、便器本体部をボウル部を備えた前パーツと後パーツとで構成した便器に関するものである。
【背景技術】
【０００２】
従来から、便器本体部をボウル部を備えた前パーツと後パーツとで構成したものが特許文献１により知られている。
【０００３】
この特許文献１に示された従来例にあっては、ボウル部を備えた前パーツを支持フレームの前部に取付け、後パーツを支持フレームに取付けていた。そして、後パーツの一部を構成する上ケース内に温水洗浄装置を内装し、この温水洗浄装置を内装した上ケースの前部が前パーツのボウル部の上端部に形成されるリム部の後部の上方位置に位置し、この上ケースの前部に設けた開口から温水洗浄装置の洗浄ノズルを出し入れするようになっている。つまり、温水洗浄装置の洗浄ノズルはボウル部の上端部に形成されるリム部よりも上方位置に位置している。
【０００４】
上記従来例にあっては、洗浄ノズルがリム部よりも上方に位置しているため、便器装置全体が大型化するという問題があった。
【特許文献１】特開２００３−４１６４５号公報
【発明の開示】
【発明が解決しようとする課題】
【０００５】
本発明は上記の従来の問題点に鑑みて発明したものであって、ボウル部側に向けて流体を吐出する流体吐出部を設けたにもかかわらず便器全体の外観をすっきりとしてコンパクトにでき、しかも、後パーツ側に設けた流体吐出部を前パーツ側に設けた吐出部嵌め込み用開口部に嵌め込むに当って、簡単且つ正確に嵌め込んで組み立てが容易になる便器を提供することを課題とするものである。
【課題を解決するための手段】
【０００６】
上記課題を解決するために本発明に係る便器は、便器本体部２０をボウル部１を備えた前パーツ１５と後パーツ１６とで構成し、後パーツ１６にボウル部１側に向けて流体を吐出する流体吐出部３と、位置決め用突部２とを前方に向けて突出して設け、前パーツ１５の後部に上記位置決め用突部２が嵌め込まれる後方に開口する位置決め用凹部１２を設けると共に、位置決め用突部２が位置決め用凹部１２に嵌めこまれた状態で上記流体吐出部３が嵌め込まれる一端が後方に開口し且つ他端がボウル部１側に向けて開口する吐出部嵌め込み用開口部４を設けて成ることを特徴とするものである。
【０００７】
このような構成とすることで、前パーツ１５に後パーツ１６を組み合わせて、後パーツ１６に設けた流体を吐出する流体吐出部３を前パーツ１５に設けた吐出部嵌め込み用開口部４に嵌め込むに当って、位置決め用突部２を位置決め用凹部１２に嵌め込むことで後パーツ１６を前パーツ１５の所定位置に位置決めすることで、簡単且つ確実に流体吐出部３を吐出部嵌め込み用開口部４に位置合わせして嵌め込むことができ、組み合わせが簡単に行える。しかも、このように、後パーツ１６に設けた流体を吐出する流体吐出部３を前パーツ１５に設けた吐出部嵌め込み用開口部４に嵌め込むので、ボウル部１の上端開口部に設けるリム部１３の上方に流体吐出部３を設けるものに比べて、便器７の外観をすっきりしてコンパクトにできる。
【０００８】
また、流体吐出部３がボウル部１内を洗浄するボウル洗浄ノズル３ａ、あるいは、流体吐出部３が人体の局部を洗浄する局部洗浄ノズル３ｂであったり、あるいは、流体吐出部３が人体の局部を乾燥するために温風又は冷風を送風する送風ダクト３ｃの先端部であることが好ましい。
【０００９】
このような構成とすることで、ボウル洗浄ノズル３ａや局部洗浄ノズル３ｂや送風ダクト３ｃの先端部を前パーツ１５の各吐出部嵌め込み用開口部４に正確に位置決めして嵌め込むことができる。
【００１０】
また、便器７が、前パーツ１５と、後パーツ１６とで構成される便器本体部２０と、前パーツ１５、後パーツ１６が固定される金属製の支持フレーム１７とで構成され、後パーツ１６の一部を構成する装置支持ケース８に位置決め用突部２を一体に形成し、該装置支持ケース８に流体吐出部３を取付け、前パーツ１５を支持フレーム１７の前部に取付け、装置支持ケース８を支持フレーム１７の後部に取付けることが好ましい。
【００１１】
このような構成とすることで、金属製の支持フレーム１７に前パーツ１５、後パーツ１６をそれぞれ支持フレーム１７に取付けて便器７を組立てることができる。
【発明の効果】
【００１２】
本発明は、上記のように、後パーツに設けた流体を吐出する流体吐出部を前パーツに設けた吐出部嵌め込み用開口部に嵌め込むので、流体吐出部がボウル部の上開口部よりも上方に位置せず、便器全体の外観がすっきりとしてコンパクトにでき、しかも、後パーツ側に設けた流体吐出部を前パーツ側に設けた吐出部嵌め込み用開口部に嵌め込むに当って、位置決め用突部を位置決め用凹部に嵌め込んで位置合わせが行えるので、流体吐出部を吐出部嵌め込み用開口部に簡単且つ正確に嵌め込むことができて組み立てが容易になる。
【発明を実施するための最良の形態】
【００１３】
以下、本発明を添付図面に示す実施形態に基いて説明する。便器７にはボウル部１が設けてあり、ボウル部１の上端開口縁部には全周にわたってリム部１３が設けてあり、このリム部１３の内周部はボウル部１内側に向けてむけて突出していている。
【００１４】
ボウル部１の上端開口縁部に設けたリム部１３の下面側には案内凹所１４を形成してあり、この案内凹所１４は全長にわたってボウル部１内に向けて側方が開口して側方開口となっている。
【００１５】
添付図面に示す実施形態においては、ボウル部１を備えた便器７はその主体部分が合成樹脂製となっているが、一部又は全部が陶器製であってもよい。
【００１６】
添付図面に示す実施形態では、図１、図２に示すように、便器７は、ボウル部１を備えた前パーツ１５と、後パーツ１６と、支持フレーム１７とで構成してあり、便器７の主体を構成する前パーツ１５、後パーツ１６は共に合成樹脂製である。
【００１７】
前パーツ１５は水平断面略Ｃ字状をしたスカート部１８と、スカート部１８内の上部に嵌め込んで溶着一体化されたボウル部１と、更にボウル部１の上に嵌め込んでボウル部１の上端縁部及びスカート部１８の上端縁部に溶着一体化されたリム部１３とで構成してある。
【００１８】
添付図面に示す実施形態においては、図１、図３、図４に示すように、ボウル部１の上端開口縁部の全周にわたって形成したリム部１３の後部には後述の装置支持ケース８に取付けた便器付属装置に設けた流体吐出部３が臨む吐出部嵌め込み用開口部４が形成してある。
【００１９】
吐出部嵌め込み用開口部４としては、ボウル洗浄ノズル用開口部４ａ、局部洗浄ノズル用開口部４ｂ、送風ダクト用開口部４ｃとがある。
【００２０】
図１、図３、図４に示す実施形態ではリム部１３の後部の前面部に、後述の温水洗浄装置６に設けた流体吐出部３を構成する局部洗浄ノズル３ｂが臨む局部洗浄ノズル用開口部４ｂと、後述の送風装置１１の送風ダクト３ｃ先端部が臨む送風ダクト用開口部４ｃとが左右に並べて設けてある。
【００２１】
リム部１３の下面とボウル部１の上端外周縁部とにより側方に開口した案内凹所１４が周設してあるが、この案内凹所１４の後端部の左右方向の一端部に図７、図８に示すように後述のボウル洗浄ノズル３ａを構成するボウル洗浄ノズルが嵌め込まれるボウル洗浄ノズル用開口部４ａが設けてある。
【００２２】
また、リム部１３の後端部の下面には図１１に示すように、上記局部洗浄ノズル用開口部４ｂ、送風ダクト用開口部４ｃから左右方向にずれた位置に、後述の脱臭装置２４に連通するボウル部１内臭気を吸込むための脱臭用開口部３３を設けると共に、ボウル部１内を明るく照らすためのＬＥＤのような発光部よりなる後述の照明手段２５が臨む発光用開口部３４が設けてある。
【００２３】
また、リム部１３の後部は後方に向けて開口する位置決め用凹部１２となっている。位置決め用凹部１２の少なくとも後部内は後端側程上下開口巾が広くなるような傾斜している。後方に開口した位置決め用凹部１２後端部の開口部内の側部及び下面部にはそれぞれ図８に示すように横ガイド部１２ａ、下ガイド１２ｂが設けてある。また、位置決め用凹部１２の少なくとも後部内は後端側程上下開口巾が広くなるような傾斜している。
【００２４】
スカート部１８の前部の左右両側壁の下部には便器を設置する床面を照らす床面照明手段４０と、小鳥の鳴き声や清流の音等を出すためのスピーカー４１とが設けてある。
【００２５】
また、ボウル部１の底部の後部には後方向に向けて排水筒部２８を突設した水溜め部２９が形成してある。
【００２６】
上記のような構成のスカート部１８とボウル部１とリム部１３とを溶着一体化した前パーツ１５は、金属製の支持フレーム１７の前部にねじ具により取付けられる。
【００２７】
この前パーツ１５を支持フレーム１７の前部に取付けた後に、トラップケース３０を支持フレーム１７に取付けると共に、トラップケース３０内に内装したトラップ（図示せず）の一端部をボウル部１に設けた排水筒部２８に接続する。
【００２８】
本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１内の下部、排水筒部２８、トラップ筒内に水が溜まった状態となっていて、この状態で大便や小便を行い、大便や小便が終わると、後述のように洗浄水を流すと共に、トラップ筒を回動してトラップ構造を解除する状態にして、汚物と共に汚水を排水するようになっている。上記フレキシブルなトラップ筒、モータ等はトラップケース３０内に収納してある。なお、トラップケースの下部は開口していてトラップ筒の端部が床に形成される排水筒に接続される。
【００２９】
後パーツ１６は、上カバー１９、装置支持ケース８、リアカバー２１、上サイドカバー２２、下サイドカバー２３により構成してあり、これらはいずれも合成樹脂製である。
【００３０】
後パーツ１６の装置支持ケース８に局部洗浄用の温水洗浄装置６、人体の局部乾燥用の送風装置１１、ボウル部１内の臭気を脱臭するための脱臭装置２４、人体検知センサ（図示せず）、ＬＥＤのような発光部よりなる照明手段２５、ボウル洗浄ノズル３ａ等の便器付属装置が取付けてある。
【００３１】
装置支持ケース８の前部中央部にはノズル収納部９が設けてあり、該ノズル収納部９に温水洗浄装置６に設けた流体吐出部３を構成する伸縮自在な局部洗浄ノズル３ｂが配置してあり、該局部洗浄ノズル３ｂは使用のために伸ばした際には前部がノズル収納部９から前方に突出するようになっており、収縮時には全体がノズル収納部９内に位置するようになっている。
【００３２】
このノズル収納部９は断面Ｕ状又は筒状をしており、内部の下面部がボウル部１側である前端側程下となるように下り傾斜した下り傾斜部１０となっており、ノズル収納部９の前端開口の上部には蓋の上端が開閉自在に枢支してあり、通常は蓋により閉じられており、局部洗浄ノズル３ｂを伸長する際に局部洗浄ノズル３ｂの先端で蓋を押し開くようになっている。
【００３３】
また、送風装置１１には送風用の送風ダクト３ｃが設けてあり、送風ダクト３ｃの先端部が装置支持ケース８の前部中央部のノズル収納部９の隣りに設けてあり、この送風ダクト３ｃの先端開口の上端には蓋の上端が開閉自在に枢支してあり、通常は蓋により閉じられており、送風ダクト３ｃ先端から送風する際に、風の圧力で蓋を押し開いて風を噴出すことができるようになっている。
【００３４】
更に、脱臭装置２４には吸込みダクト５０が設けてあり、吸込みダクト５０の先端部が装置支持ケース８の前端部において下方に向けて開口している。
【００３５】
図９、図１０に示すように、装置支持ケース８の前端部には前方に向けて突出する位置決め用突部２が設けてある。添付図面に示す実施形態では装置支持ケース８の前端部が巾方向にわたって位置決め用突部２となっている。
【００３６】
上記の構成の装置支持ケース８は支持フレーム１７の後部上面にねじ具により取付けて支持される。
【００３７】
この場合、装置支持ケース８の前端部の位置決め用突部２を前パーツ１５の後方よりリム部１３の後部の後方に向けて開口した位置決め用凹部１２に図６に示すように嵌め込むことで装置支持ケース８をリム部１３に対して位置決めする。この場合、位置決め用凹部１２の少なくとも後部内は後端側程上下開口巾が広くなるような傾斜しているので、位置決め用突部２を位置決め用凹部１２の後端開口部内に嵌め込み易く、位置決め用突部２を位置決め用凹部１２の後端開口部内に嵌め込んだ状態で、位置決め用突部２の側端面部を位置決め用凹部１２後端部の開口部内の側部の横ガイド部１２ａに当てると共に、位置決め用突部２の下端面を下ガイド１２ｂに載せ、この状態で、装置支持ケース８を前方に押し込むことで、位置決め用突部２を位置決め用凹部１２内に嵌め込むことができる。
【００３８】
このように装置支持ケース８の前端部の位置決め用突部２を前パーツ１５の位置決め用凹部１２に嵌め込んで位置決めすることで、装置支持ケース８に設けた流体吐出部３となるボウル洗浄ノズル３ａが前パーツ１５に設けたボウル洗浄ノズル用開口部４ａに嵌めこまれ、また、図３に示すように局部洗浄ノズル３ｂが収納されたノズル収納部９が局部洗浄ノズル用開口部４ｂに嵌め込まれ、また、図４に示すように送風装置１１の送風ダクト３ｃ先端部が送風ダクト用開口部４ｃに嵌め込まれ、脱臭装置２４の吸込みダクト５０の先端が脱臭用開口部３３に臨むように位置させられ、更に、図５に示すようにＬＥＤのような発光部よりなる照明手段２５が発光用開口部３４に臨むように位置させられる。したがって、ボウル洗浄ノズル３ａ、ノズル収納部９、送風ダクト３ｃ先端部、吸込みダクト５０の先端部、照明手段２５を、それぞれ、ボウル洗浄ノズル用開口部４ａ、局部洗浄ノズル用開口部４ｂ、送風ダクト用開口部４ｃ、脱臭用開口部３３、発光用開口部３４にぴったりと位置決めして嵌めこんだり、臨ませたりでき、位置決めがきわめて容易となる。
【００３９】
このように、支持フレーム１７の前部に取付けた前パーツ１５に装置支持ケース８を位置決めした状態で、装置支持ケース８を支持フレーム１７にねじ具等により取付ける。
【００４０】
次に、上カバー１９は装置支持ケース８を覆うようにして装置支持ケース８に取付ける。この上カバー１９には便座２６、便蓋２７が回動自在に取付けてある。
【００４１】
その後、リアカバー２１を装置支持ケース８や支持フレーム１７に取付け、更に、上サイドカバー２２をリアカバー２１に着脱自在に取付け、更に、下サイドカバー２３を上サイドカバー２２に着脱自在に係止して位置決めした状態で磁石により支持フレーム１７に対して着脱自在に取付ける。下サイドカバー２３や上サイドカバー２２を着脱することで便器７内部の保守、点検、修理等が行えるようになっている。
【００４２】
上記のような構成の便器７は、便座２６に座った人体の局部を洗浄する場合は、流体吐出部３である局部洗浄ノズル３ｂを伸長させることで吐出部嵌め込み用開口部４である局部洗浄ノズル用開口部４ｂから突出させて局部洗浄ノズル３ｂから洗浄水を吐出して人体の局部を洗浄し、洗浄が終わると、局部洗浄ノズル３ｂを収縮して吐出部嵌め込み用開口部４に先端部を嵌め込んだノズル収納部９内に局部洗浄ノズル３ｂを収納する。
【００４３】
一方、人体の局部の乾燥をするに当っては、流体吐出部３である送風ダクト３ｃの先端部から噴出する温風又は冷風を吐出部嵌め込み用開口部４である送風ダクト用開口部４ｃから吐出して人体の局部を乾燥する。
【００４４】
上記のような人体の局部の洗浄、乾燥が終了すると、ボウル洗浄ノズル３ａから水を吐出して案内凹所１４の後端部の左右方向の一側端部に設けたボウル洗浄ノズル用開口部４ａから水を流す。ボウル洗浄ノズル用開口部４ａから吐出された水は案内凹所１４内を旋回しながら流れつつ一部が案内凹所１４の側方開口の下端縁部部分から徐々にボウル部１内に旋回流となって流れ、この旋回流によりボウル部１内が洗浄されることになる。
【００４５】
このように、本発明にあっては、後パーツ１６の装置支持ケース８に設けたボウル部１側に向けて流体を吐出する流体吐出部３であるボウル洗浄ノズル３ａ、局部洗浄ノズル３ｂ、送風ダクト３ｃの先端部がいずれも、一端が後方に開口し且つ他端がボウル部側に向けて開口する吐出部嵌め込み用開口部４を構成するボウル洗浄ノズル用開口部４ａ、局部洗浄ノズル用開口部４ｂ、送風ダクト用開口部４ｃが前パーツ１５のボウル部１の上部に一体化されるリム部１３に設けてあるので、便器７の後部上面に別体の温水洗浄装置６などを載置してボウル部１の上開口縁部の上面よりも上方位置に流体吐出部３を設ける従来例のものに比べて、便器全体の外観がすっきりとし、コンパクトにできることになる。
【００４６】
そして、このように、便器７の後部上面に別体の温水洗浄装置６などを載置してボウル部１の上開口縁部の上面よりも上方位置に流体吐出部３を設けないので、従来のように便器７の後部上面と温水洗浄装置６などとの間に汚水が浸入するということがなく、便器７の後部上面に汚水が付着しても、簡単に拭き取ることができる。
【００４７】
また、添付図面に示す実施形態においては、ボウル部１の後部の前面部に形成した局部洗浄ノズル用開口部４ｂ、送風ダクト用開口部４ｃ内に汚水や水が浸入しても、局部洗浄ノズル用開口部４ｂ、送風ダクト用開口部４ｃ内の下面部の下り傾斜した傾斜下面部５に沿ってボウル部１内にスムーズに排出されることになり、吐出部嵌め込み用開口部４から内部の奥深くに浸入したり、内部に滞留したりするのを確実に防止できる。
【００４８】
また、伸縮して局部洗浄ノズル用開口部４ｂから出し入れする局部洗浄ノズル３ｂを伝って汚水や水が浸入してノズル収納部９内に流下したり、あるいは、局部洗浄ノズル３ｂをノズル収納部９に収納した際、局部洗浄ノズル３ｂに付着していた汚水や水がノズル収納部９内に流下することがあるが、このような場合は、ノズル収納部９の下面部が下り傾斜部１０となっているので、汚水や水を下り傾斜部１０に沿ってボウル部１にスムーズに排出することができる。
【００４９】
上記実施形態においてはターントラップ式の便器７の例で説明したが、これにのみ限定されず、サイフォン式やサイフォンジェット式、あるいは洗い流し式のものであってもよい。
【図面の簡単な説明】
【００５０】
【図１】本発明の便器の分解斜視図である。
【図２】同上の斜視図である。
【図３】同上の前パーツに装置支持ケースを位置決めした状態でノズル収納部を洗浄ノズル出し入れ用開口部に嵌め込んだ部分の断面図である。
【図４】同上の前パーツに装置支持ケースを位置決めした状態で送風ダクトの先端部を送風用開口部に嵌め込んだ部分の断面図である。
【図５】同上の前パーツに装置支持ケースを位置決めした状態で照明手段を発光用開口部に臨ませた部分の断面図である。
【図６】同上のリム部の嵌め込み凹部に嵌め込み突部を嵌め込んだ状態の下面図である。
【図７】同上の前パーツの分解斜視図である。
【図８】同上の前パーツの斜視図である。
【図９】同上の装置支持ケースの下面図である。
【図１０】同上の装置支持ケースの斜視図である。
【図１１】リム部の下面図である。
【符号の説明】
【００５１】
１  ボウル部
２  位置決め用突部
３  流体吐出部
３ａ  ボウル洗浄ノズル
３ｂ  局部洗浄ノズル
３ｃ  送風ダクト
４  吐出部嵌め込み用開口部
６  温水洗浄装置
７  便器
１１  送風装置
１２  位置決め用凹部
１５  前パーツ
１６  後パーツ
１７  支持フレーム
２０  便器本体部
【図１】
2008095455.tif 000003
【図２】
2008095455.tif 000004
【図３】
2008095455.tif 000005
【図４】
2008095455.tif 000006
【図５】
2008095455.tif 000007
【図６】
2008095455.tif 000008
【図７】
2008095455.tif 000009
【図８】
2008095455.tif 000010
【図９】
2008095455.tif 000011
【図１０】
2008095455.tif 000012
【図１１】
2008095455.tif 000013